(57)【特許請求の範囲】
【請求項１】
先端掘削刃から後方及び上方へ湾曲して延びる培土板と；この培土板の上部又は上方に、該培土板の前方に向けてほぼ水平に取り付けられ、下方からの迫り上げ土圧により後部の取付部を支点として上方へ変位する弾力性邪魔板と；邪魔板の上方回動範囲を規制するストッパ手段；とを具備することを特徴とするカルチベータ用培土器
【請求項２】
先端掘削刃から後方及び上方へ湾曲して延びる培土板の上部又は上方に、培土板の前方に向けてほぼ水平に延び、下方からの迫り上げ土圧により後部の取付部を支点として変位する弾力性可動邪魔板を設けるとともに、培土板の上部に前記可動邪魔板の上面と対向するストッパフレームを取付け、このストッパフレームと可動邪魔板の間に、該可動邪魔板を下方へ付勢する弾性部材を介装したことを特徴とするカルチベータ用培土器
【発明の詳細な説明】
【００１】
【発明の属する技術分野】
本発明は圃場の土を掘り起しながら、かまぼこ形の畝を形成する培土器の改良に関する。
【００２】
【発明が解決しようとする課題】
培土器は中央の先端掘削刃の左右に、後方及び上方に向けて内側に向けて湾曲しながら延びる培土板を有し、この培土板に沿って迫り上げられる土で左右の作物列に盛土する作業機として使用される。
【００３】
この種の培土器は圃場の土壌粘度が高かったり、水分が多いと培土板に沿って迫り上げられた土が帯状の土塊となり、均一な盛土ができなくなるとともに、土塊が作物にかぶさって作物を痛めてしまうという問題があった。
【００４】
この問題を解決することを目的として、本願発明者は、培土板の上部に培土板前方に延在する邪魔板を設け、培土板に沿って迫り上がる帯状土塊が邪魔板に当接して破砕されるようにした培土器を開発し、特願平１１−３６２８６２号として特許出願をしている。
【００５】
上記特許出願に係る培土器は帯状土塊が分断、破砕される点で大きな利点があるが、邪魔板下方に土を抱き込むため、培土作業を停止したときに邪魔板の下方に土塊を抱え込んだままの状態になる。この状態で作業機を別の場所へ移動させると移動中の振動で舗装道路などに土塊をまき散らしてしまい、また、土を抱き込んだ状態では培土作業の再開が困難になるという新たな問題が発生するおそれがある。
【００６】
従って、本発明の目的は邪魔板によって帯状土塊を発生させないようにするとともに、培土作業を停止して土の迫り上げ抵抗がなくなると邪魔板によって滞留していた土塊が自動的に落下する構造の培土器を提供することにある。
【００７】
【課題を解決する手段】
上記目的を達成するために、本発明の培土器は、先端掘削刃から後方及び上方へ湾曲して延びる培土板と、この培土板の上部又は上方に、該培土板の前方に向けてほぼ水平に取り付けられ、下方からの迫り上げ土圧により後部の取付部を支点として上方へ回動する弾力性邪魔板と、邪魔板の上方回動範囲を規制するストッパ手段を具備することを特徴とする。
【００８】
本発明のより具体的な培土器は、先端掘削刃から後方及び上方へ湾曲して延びる培土板の上部又は上方に、培土板の前方に向けてほぼ水平に延び、下方からの迫り上げ土圧により後部の取付部を支点として回動する弾力性可動邪魔板を設けるとともに、培土板の上部に前記可動邪魔板の上面と対向するストッパフレームを取付け、このストッパフレームと可動邪魔板の間に、該邪魔板を下方へ付勢する弾性材を介装したことを特徴とする。
【００９】
【発明の実施の形態】
以下、本発明の実施例を図面に基づいて説明する。
カルチベータの幅方向に沿って配列される培土器１は、図のように、先端の下部中央に掘削刃２を有し、掘削刃２の上方へ続く中央稜線部３を形成して左右両側の後方及び上方へ向けて内側へ湾曲しながら延びる左右一対の培土板４、４が、ベースフレーム５に固定されている。そして、左右の培土板４、４の両側辺は掘削刃２から斜め上方へ向けて内側へ湾曲しながら延びその先端にゴムなどの柔らかい材質の均し片６が取付けてある。
【０１０】
かくして、この培土器１は、前方へ牽引される過程で、掘削刃２で掘り起こした土を培土板４、４の内側湾曲面に沿って上方へせり上げ、且つ、外側へ送り出すとともに、培土板４の湾曲下縁辺７によってかまぼこ形の盛土をし、均し片６で土均しを行うことができるようになっている。尚、図中、符号８はカルチベータ本体に結合する連結フレームである。
【０１１】
本発明の培土器１は、前記培土板４、４の上部又はその上方、好ましくは培土板４、４の上端に邪魔板９が設けられている。
この邪魔板９は基端を左右の培土板４、４に取付け、先端側が培土板４、４の前方へ略水平に張り出すように取付けられているとともに、下方から迫り上げられる土塊の圧力によって基部取付部１０を支点として上方へ、好ましくは弾力的に動く可動邪魔板で構成されている。邪魔板９の材質は金属、合成樹脂などの硬質のプレートでもよく、また、比較的軟らかな合成樹脂のプレートでもよいが、下方からの圧力で前記基部取付部１０を支点として上方へ回動して変位するように構成されている。
【０１２】
他方、本発明の培土器１は前記可動邪魔板９の上方回動変位範囲を規制するストッパ手段が設けられている。
図の実施例のストッパ手段は、培土板４の上部に前記可動邪魔板９の上面と対向させて固定したストッパフレーム１１ａと，このストッパフレーム１１ａと可動邪魔板９の間に介装したゴム、ばねなどの弾性部材１１ｂで構成されている。図の実施例では弾性部材１１ｂを可動邪魔板９と対向するストッパフレーム１１ａの下面に固定してあるが、これとは逆に邪魔板９の上面に固定してもよい。
【０１３】
上記の構成により、培土器１を地面に沿って前進させると培土板４、４に沿って迫り上げられた土塊は可動邪魔板９に当たって崩され、小塊に破砕されて盛土がなされる。
他方、可動邪魔板９は下方から迫り上がる土圧によってストッパ手段の上方移動規制位置まで動く。しかしながら、可動邪魔板９は迫り上がる土圧に対して弾力的に動き、あるいはストッパフレーム１１ａとの間の弾性部材１１ｂを圧縮し、その反発力に抗して変位しているので、作業を中止して、下方からの迫り上げ土圧が停止すると可動邪魔板９自体、あるいは弾性部材１１ｂの復元力によって元の位置に戻ろうとする。このとき、可動邪魔板９の下面と抱き込まれている土塊の間の摩擦が生ずるとともに、土塊が可動邪魔板９によって下方へ押し戻されるため、可動邪魔板９から容易に離脱される。
【０１４】
図の実施例はストッパフレーム１１ａと弾性部材１１ｂで弾性ストッパ手段を構成した場合を例示したが、ストッパ手段はこれに限定されるものではない。例えば、可動邪魔板９の基部取付部１０にストップ機能と復元の弾発機能をもたせてもよい。
【０１５】
【発明の効果】
本発明の培土器は上記の構成になるので培土板によって生成された帯状土塊が邪魔板によって破砕されるとともに、可動邪魔板の変位・復元作用により、邪魔板下方に抱き込んだ土塊が剥がされ、培土器から容易に離脱する。
【０１６】
作業中止の際に邪魔板の下方、すなわち、培土板前部の土塊が離脱することにより、作業車の移動中に土塊が飛散することがなく、また、培土作業の再開時は土塊の掻き落としなどの余分な作業を要しないので、培土作業能率が著しく向上する。
【図面の簡単な説明】
【図１】本発明の一実施例による培土器の平面図
【図２】図１実施例の培土器正面図
【図３】図１実施例の培土器側面図
【符号の説明】
１…培土器
２…掘削刃
３…稜線部
４…培土板
５…ベースフレーム
６…均し片
７…湾曲下縁辺
８…連結フレーム
９…邪魔板
１０…基部取付部
１１ａ…ストッパフレーム
１１ｂ…弾性部材
【図１】
0003610026.tif 000002
【図２】
0003610026.tif 000003
【図３】
0003610026.tif 000004